(57)【要約】【課題】幅広部を設けた両面吸収タイプの吸収性物品において、吸収性能に優れると共に、幅広部からの尿等の伝わりを防止して横漏れを抑制した吸収性物品を提供する。【解決手段】液透過性のトップシート２と、液透過性のバックシート４と、トップシートとバックシートの間に配置される吸収体６とを備えた吸収性物品２０であって、周囲よりも幅方向外側に延びる幅広部を有し、幅広部は液の浸出を防止する防漏性を有する。【選択図】図５
2015217067.tif 000002
【特許請求の範囲】
【請求項１】
液透過性のトップシートと、液透過性のバックシートと、前記トップシートと前記バックシートの間に配置される吸収体とを備えた吸収性物品であって、
周囲よりも幅方向外側に延びる幅広部を有し、
前記幅広部は液の浸出を防止する防漏性を有する吸収性物品。
【請求項２】
前記トップシート及び前記バックシートが前記吸収体よりも狭幅であり、
かつ前記トップシート及び前記バックシートの幅方向端部とそれぞれ重なるようにして前記幅方向外側に延びる防漏シートが配置され、
前記各防漏シートが前記幅方向外側に延びて互いに重なって前記幅広部を構成する請求項１に記載の吸収性物品。
【請求項３】
前記トップシート又は前記バックシートのいずれかが延長シートとして前記幅方向外側に延びて前記幅広部を構成すると共に、
前記トップシート又は前記バックシートのうち、前記延長シートとならないシートが前記吸収体よりも狭幅であり、かつ該シートの幅方向端部と重なるようにして前記幅方向外側に延びる防漏シートが配置され、
前記防漏シートが前記延長シートと重なって前記幅広部を構成する請求項１に記載の吸収性物品。
【請求項４】
前記トップシート及び前記バックシートが共に延長シートとして前記幅方向外側に延びて前記幅広部を構成すると共に、
前記吸収体よりも前記幅方向の内側で、前記トップシート及び前記バックシートとそれぞれ重なるようにして前記幅方向外側に延びる防漏シートが配置され、
前記各防漏シートが前記各延長シートと互いに重なって前記幅広部を構成する請求項１に記載の吸収性物品。
【請求項５】
前記幅広部が長手方向に１か所又は２か所設けられている請求項１〜４のいずれか一項に記載の吸収性物品。
【請求項６】
前記幅広部の幅が２５０〜４００ｍｍである請求項１〜５のいずれか一項に記載の吸収性物品。
【請求項７】
前記長手方向に延びつつ立設する立体ギャザーが設けられている請求項１〜６のいずれか一項に記載の吸収性物品。
【発明の詳細な説明】
【技術分野】
【０００１】
この発明は、失禁パッド、尿取パッド、失禁ライナー等の肌着やおむつ内に装着される吸収性物品に関する。
【背景技術】
【０００２】
従来、成人や病人の排せつ物を吸収するため、使い捨て紙おむつを用いたり、肌着やおむつ内に小型の（軽）失禁パッドや尿取パッド等の吸収性物品を装着することが行われている。この種の吸収性物品としては、液透過性のトップシートと液不透過性のバックシートと、その間に吸収体を備えたパッドタイプが一般に商品化されており、例えば、全体を長円形状とし、幅方向両側へ向けてウイング部を延出させたものも開発されている（特許文献１）。
しかしながら、特許文献１に記載された吸収性物品は、着用者の陰部側のトップシートからのみ吸収する片側吸収のタイプであるため、尿量が多い場合にはバックシート側から外側へ流れることができず、漏れが発生する場合がある。例えば、特許文献１の吸収性物品は、バックシートとなる防漏シートを幅方向へ延ばして幅広部を構成しており、バックシート側から尿が外側へ流れないようになっている。
【０００３】
ここで、図１１に示すように、パッドタイプの吸収性物品２００は、いわゆるインナーとして外側のアウター（肌着やおむつ）１００内に装着され、アウター１００自体も吸収能を有している。そして、インナー２００をこまめに交換し、さらにアウター１００に尿等を何回か吸収させた段階でアウターを交換するように使用される。
そこで、インナー２００が吸収しきれなかった液体が漏れるのを防止するため、インナー２００のトップシート側及びバックシート側を共に液透過性とした、いわゆる両面吸収パッドが開発されている。これにより、インナー２００に吸収されなかった尿等は、バックシートを通して、アウター１００に移行させることができる。
【先行技術文献】
【特許文献】
【０００４】
【特許文献１】特開２００３−１２６１４０号公報（図２）
【発明の概要】
【発明が解決しようとする課題】
【０００５】
ところで、インナーとなるパッドタイプの吸収性物品は、アウター内に配置するために略長円状や略矩形状とする必要がある。そして、インナーの吸収能力を高めようとすると、吸収性物品の幅及び長さを大きくする必要がある。さらに、着用者の股の前後に沿うように配置して装着性、着用感を向上させるため、図１０に示したように、インナー２００の股下部に相当する長手方向中央の幅に比べ、長手方向前後の幅を広げた幅広部２１０を設けた異形状（ワイド形状）とする必要がある。
【０００６】
しかしながら、インナー２００をワイド形状とすると、幅広部２１０がアウター１００からはみ出し、インナー２００が吸収した尿が幅広部２１０に伝わってアウター１００から浸みだして横漏れが生じ易くなるという問題がある。特に、図１０に示したように、アウター１００がいわゆるテープ止めタイプの紙おむつである場合、展開時にフラットになり、長手方向の両端側に配置された面ファスナ１０７を結合させることで、腰部の周りに装着するようになっている。このテープ止めタイプのアウター１００においては、横漏れを幅方向の立体ギャザー１１２で防止しているため、この立体ギャザー１１２からインナー２００の幅広部２１０がはみ出し易く、アウター１００からの横漏れが顕著になる。
一方、特許文献１に記載された吸収性物品のように、幅広部（幅広部）を防漏シートでバックシートと一体に形成した場合には、幅広部からの尿の伝わりを防止することはできるが、そもそも両面吸収パッドとして機能しない。
従って本発明は、幅広部を設けた両面吸収タイプの吸収性物品において、吸収性能に優れると共に、幅広部からの尿等の伝わりを防止して横漏れを抑制した吸収性物品の提供を目的とする。
【課題を解決するための手段】
【０００７】
上記課題を解決するため、本発明の吸収性物品は、液透過性のトップシートと、液透過性のバックシートと、前記トップシートと前記バックシートの間に配置される吸収体とを備えた吸収性物品であって、周囲よりも幅方向外側に延びる幅広部を有し、前記幅広部は液の浸出を防止する防漏性を有する。
このように、吸収性物品が両面吸収パッドタイプであるにも関わらず、幅広部が液の浸出を防止する防漏性を有する。このため、吸収性物品が吸収した尿等が幅広部に伝わってアウターから浸みだして横漏れが生じることを防止できる。又、幅広部を設けているので、吸収量を増大させるために吸収性物品を大型化しても、着用者の股の前後に沿うように配置したときの装着性、着用感を向上させることができる。
【０００８】
前記トップシート及び前記バックシートが前記吸収体よりも狭幅であり、かつ前記トップシート及び前記バックシートの幅方向端部とそれぞれ重なるようにして前記幅方向外側に延びる防漏シートが配置され、前記各防漏シートが前記幅方向外側に延びて互いに重なって前記幅広部を構成することが好ましい。
【０００９】
前記トップシート又は前記バックシートのいずれかが延長シートとして前記幅方向外側に延びて前記幅広部を構成すると共に、前記トップシート又は前記バックシートのうち、前記延長シートとならないシートが前記吸収体よりも狭幅であり、かつ該シートの幅方向端部と重なるようにして前記幅方向外側に延びる防漏シートが配置され、前記防漏シートが前記延長シートと重なって前記幅広部を構成することが好ましい。
【００１０】
前記トップシート及び前記バックシートが共に延長シートとして前記幅方向外側に延びて前記幅広部を構成すると共に、前記吸収体よりも前記幅方向の内側で、前記トップシート及び前記バックシートとそれぞれ重なるようにして前記幅方向外側に延びる防漏シートが配置され、前記各防漏シートが前記各延長シートと互いに重なって前記幅広部を構成することが好ましい。
【００１１】
前記幅広部が長手方向に１か所又は２か所設けられていることが好ましい。
前記幅広部の幅が２５０〜４００ｍｍであることが好ましい。
前記長手方向に延びつつ立設する立体ギャザーが設けられていることが好ましい。
【発明の効果】
【００１２】
この発明によれば、幅広部を設けた両面吸収タイプの吸収性物品において、吸収性能に優れると共に、幅広部からの尿等の伝わりを防止して横漏れを抑制することができる。
【図面の簡単な説明】
【００１３】
【図１】本発明の第１の実施形態に係る吸収性物品の外観を示す斜視図である。
【図２】第１の実施形態に係る吸収性物品の上面図である。
【図３】図２のＩＩＩ−ＩＩＩ線に沿う断面図である。
【図４】図２のＩＶ−ＩＶ線に沿う断面図である。
【図５】第２の実施形態に係る吸収性物品の上面図である。
【図６】図５のＶＩ−ＶＩ線に沿う断面図である。
【図７】図５のＶＩＩ−ＶＩＩ線に沿う断面図である。
【図８】第３の実施形態に係る吸収性物品の断面図である。
【図９】第３の実施形態に係る吸収性物品の別の断面図である。
【図１０】従来の異形状（ワイド形状）の吸収性物品（インナー）を示す斜視図である。
【発明を実施するための形態】
【００１４】
以下、本発明の第１の実施形態に係る吸収性物品について説明する。本発明の実施形態に係る吸収性物品は、肌着（下着）やおむつ内に装着される失禁パッド、尿取パッド、失禁ライナー等の、いわゆる「パッドタイプ」であるが、肌着（下着）やおむつ内に装着されて排せつ物や分泌物を吸収するものであれば、これらの用途に限定されない。
図１は、本発明の第１の実施形態に係る吸収性物品の外観を示す斜視図である。図１において、吸収性物品２０は細長い片状をなし、液透過性のトップシート２と、液透過性のバックシート４との間に図示しない吸収体を挟み込んだ構成を有している。又、吸収性物品２０の幅方向両側縁から撥水性の不織布からなるサイドシート（立体ギャザー）１２がトップシートの上に立ち上がっている。吸収性物品２０は、長手方向を使用者の股部の前後に渡され、トップシート２が股部に触れるようにして装着され、サイドシート１２は尿等の横漏れを防止する。
さらに、トップシート２及びバックシート４は共に液透過性とされ、吸収性物品２０は、いわゆる両面吸収パッドを構成している。
なお、上記各シートはホットメルト接着剤等により固定されている。又、サイドシート１２は本発明の必須の構成ではない。
【００１５】
又、吸収性物品２０は、いわゆるインナーとして外側のアウター１００内に装着され、アウター１００自体も吸収能を有している。そして、インナーである吸収性物品２０をこまめに交換し、さらにアウター１００に尿等を何回か吸収させた段階でアウター１００を交換するように使用される。
そして、吸収性物品２０は両面吸収パッドであるため、吸収性物品２０に吸収されなかった尿は、バックシート４を通して、アウター１００に移行させることができる。
【００１６】
図１の例では、アウター１００は、いわゆるテープ止めタイプの紙おむつであり、展開時に長手方向中央が狭幅の略矩形状をなし、長手方向の両端側に、幅方向に延びる面ファスナ１０７が配置され、面ファスナ１０７を結合させることで、アウター１００を腰部の周りに装着可能になっている。又、アウター１００の幅方向両端には、長手方向に延びる立体ギャザー１１２が立設し、横漏れを防止している。
そして、吸収性物品２０は、インナーとしてアウター１００内に配置するために略長円状や略矩形状となっていると共に、吸収能力を高めるために大型化されている。この際、着用者の股の前後に沿うように配置して装着性、着用感を向上させるため、吸収性物品２０の長手方向中央部の股下部に相当する幅Ｗ０（図２参照）に比べ、長手方向の両外側に向かう部分の幅Ｗ１（図２参照）を延ばして幅広部７Ａ１，７Ａ２を設けた異形状（ワイド形状）となっている。
【００１７】
本発明においては、吸収性物品２０が両面吸収パッドタイプであるにも関わらず、上記した幅広部が液の浸出を防止する防漏性を有することを特徴としている。
幅広部が防漏性を有しない場合、アウター１００の横漏れを防止する立体ギャザー１１２からインナーの幅広部がはみ出し、吸収性物品２０が吸収した尿が幅広部に伝わってアウター１００から浸みだして横漏れが生じ易くなる。
特に、図１に示したテープ止めタイプの紙おむつであるアウター１００の場合、横漏れを立体ギャザー１１２で防止しているので、インナーの幅広部がはみ出し易く、幅広部が防漏性を有しない場合にアウターからの横漏れが顕著になる。但し、本発明の吸収性物品２０は、テープ止めタイプのアウター１００に限らず、例えばパンツ型の紙おむつであるアウターや、その他の肌着にも適用できる。
【００１８】
図２は、吸収性物品２０の上面図を示す。吸収性物品２０は略矩形状をなし、長手方向中央部の幅Ｗ０に比べ、長手方向の両外側に向かう部分の幅Ｗ１を延ばして幅広部７Ａ１，７Ａ２を設けた異形状（ワイド形状）となっている。
また、吸収性物品２０の表面にトップシート２が表出すると共に、トップシート２の幅方向両端を防漏シート７０が囲んでいる。そして、防漏シート７０の一部が幅方向外側に突出してそれぞれ幅広部７Ａ１，７Ａ２を形成している。
なお、防漏シート７０の上面をサイドシート１２から平面方向に延びる延出部１２ｅ（図３参照）を覆っているが、説明のため、図２ではサイドシート１２を省略している。
【００１９】
図３は、図２のＩＩＩ−ＩＩＩ線（幅広部７Ａ１）に沿う断面図である。吸収性物品２０の表層となるトップシート２とバックシート４の間には吸収体６が介装され、さらに、トップシート２と吸収体６の間に尿などの流体を吸収体へ導いたり弾力性を付与するトランスファーシート８が配置されている。このような構成は、吸収性物品において一般的なものであり、例えば、特開2006-175022号公報や特開2006-181080号公報に記載されているものと同様である。
トップシート２及びバックシート４は吸収体６よりも狭幅であり、かつトップシート２及びバックシート４の幅方向両端部とそれぞれ重なるようにして幅方向外側に延びる防漏シート７０が配置されている。具体的には、トップシート２の幅方向両端部の下に防漏シート７０が重なり、バックシート４の幅方向両端部の下に防漏シート７０が重なっている。
【００２０】
そして、上下方向の各防漏シート７０が互いに重なって幅広部７Ａ１を構成している。又、図示はしないが、上下方向の各防漏シート７０（幅広部７Ａ１）の幅方向の端部がホットメルト等により接合（シール）されている。
さらに、防漏シート７０（幅広部７Ａ１）の上面、及び防漏シート７０とトップシート２の重なり部分をサイドシート１２の延出部１２ｅが覆い、上記重なり部分近傍から上に向かってサイドシート１２が立ち上がっている。又、各サイドシート１２の最も立ち上がる先端部分には、吸収性物品２０の各長手方向に沿って弾性部材１６が配置されている。従って、サイドシート１２は、弾性部材１６の弾性力によって展張され、サイドシート１２の立ち上がり部を立体形成し、横漏れを有効に防止する。
【００２１】
図４は、図２のＩＶ−ＩＶ線（長手方向中央部）に沿う断面図である。図４においても、図３と同様に、トップシート２及びバックシート４は吸収体６よりも狭幅であり、かつトップシート２及びバックシート４の幅方向端部とそれぞれ重なるようにして幅方向外側に延びる防漏シート７０が配置されている。そして、上下方向の各防漏シート７０が互いに重なり、その幅方向の端部が接合（シール）されている。
【００２２】
トップシート２及びバックシート４は、液透過性の不織布であればよい、又、トップシート２使用者の皮膚に接するため、感触が柔らかで、皮膚に刺激を与えない材料から形成されていることが好ましい。トップシート２の坪量を１５〜４０ｇ/ｍ2(より好ましくは２０〜３５ｇ/ｍ2)とすることが好ましい。バックシート４の坪量を１５〜４０  ｇ/ｍ2(より好ましくは２０〜３５ｇ/ｍ2)とすることが好ましい。
トランスファーシート８も、不織布から形成されていればよく、使用者の排せつ物や分泌物（尿等）を吸収体６へ移し、分散させ、弾力性を発現できればよい。特に、トランスファーシート８として、坪量２０〜５０ｇ/ｍ2（好ましくは３０〜４０ｇ/ｍ2）の親水性不織布を用いると好ましい。トップシート２、バックシート４及びトランスファーシート８としては、嵩の高いエアースルー不織布を用いると好ましい。
バックシート４の外面に、尿のアウターへの移行を妨げない程度に、吸収性物品２０を下着等に固定する際のずれを防止するずれ止め（粘着剤）等を設けてもよい。
【００２３】
吸収体６は、木材パルプフラッフのような、フラッフのウェブの親水性繊維マトリックスを、公知の高吸水性樹脂（ＳＡＰ）の粒子と混合して形成すればよい。又、吸収体６表面にエンボスを施すと、尿等の拡散をコントロールすると共に、使用者の体型に応じて吸収体６が容易に変形するので好ましい。
フラッフとしては、木材パルプフラッフの代わりに合成繊維、ポリマー繊維などを使用してもよい。又、木材パルプフラッフとしては、嵩が低く、解繊装置の所要動力（パルプをフラッフ化する際の解繊機の消費電力）が抑えられるトリートメントパルプを用いることが好ましい。
吸収体６を薄くするためには、ＳＡＰの配合比を高くすることが一般的であるが、尿吸収の初期段階ではフラッフの役割が大きく、ＳＡＰが多過ぎてフラッフが少ないと初期吸収性が劣る。このため、吸収体６中のＳＡＰの含有割合を５０質量％未満とすることが好ましい。
ＳＡＰは、破砕タイプに比べてパールタイプ(逆相懸濁重合法により得られるもの)の方が加圧下でのダメージが少ないことから、パールタイプを用いることが好ましい。
【００２４】
防漏シート７０は、吸収体６内において保持している液体などが浸出しないような防漏（防水）性を有する液不透過性の材料から形成されていればよく、ポリエチレンフィルム、ポリエステルフィルム、ポリビニルアルコールフィルム、ポリプロピレンフィルム、ポリエチレンとポリプロピレンの複合フィルム等からなる薄いプラスチックフィルムとすることができるが、着用中にカサカサした音がしやすく、柔らかさを付与するよう、マイクロエンボスを施したり、プラスチックフィルムの外側に不織布を貼合わせたクロスライクバックシートを用いることもできる。特に、防漏シート７０としてポリエチレンフィルムを用いることが好ましい。又、防漏シート７０として、通気性（透湿性）のフィルムを用いてムレを低減することが好ましい。
防漏シート１枚当たりの坪量を１８〜４０ｇ/ｍ２(より好ましくは２０〜３０ｇ/ｍ２)とすることが好ましい。
【００２５】
サイドシート１２は、防漏シート７０と同様の材料から形成することができ、撥水性の不織布から形成してもよい。
弾性部材１６としては、エラストマー性ポリマー材料からなるストランド、リボン、ポリウレタン、合成ゴム、天然ゴム等を用いることができるがこれらに限られない。
【００２６】
このように、吸収性物品２０が両面吸収パッドタイプであるにも関わらず、幅広部７０Ａ１、７０Ａ２が液の浸出を防止する防漏性を有する。このため、吸収性物品２０が吸収した尿等が幅広部７０Ａ１、７０Ａ２に伝わってアウター１００から浸みだして横漏れが生じることを防止できる。又、幅広部７０Ａ１、７０Ａ２を設けているので、吸収量を増大させるために吸収性物品２０を大型化しても、着用者の股の前後に沿うように配置したときの装着性、着用感を向上させることができる。
さらに、第１の実施形態においては、幅広部７０Ａ１、７０Ａ２の上下面（表面側と裏面側）がいずれも防漏シート７０から構成されているので、尿等が幅広部７０Ａ１、７０Ａ２に伝わることをより一層防止できる。
【００２７】
次に、図５〜図７を参照し、本発明の第２の実施形態に係る吸収性物品について説明する。なお、第２の実施形態に係る吸収性物品２０Ｂにおいて、第１の実施形態に係る吸収性物品２０と同一構成部分を同一符号を付して説明を省略する。
図５は、第２の実施形態に係る吸収性物品２０Ｂの上面図を示す。吸収性物品２０Ｂは略矩形状をなし、長手方向中央部の幅Ｗ０に比べ、長手方向の一方（図５の下方）側に向かう部分の幅Ｗ１を延ばして幅広部７Ｂを設けた異形状（ワイド形状）となっている。
また、第１の実施形態に係る吸収性物品２０と同様に、吸収性物品２０Ｂの表面にトップシート２が表出すると共に、トップシート２の幅方向両端を防漏シート７０Ｂが囲んでいる。そして、防漏シート７０Ｂの一部が幅方向外側に突出して幅広部７Ｂを形成している。
なお、防漏シート７０Ｂの上面をサイドシート１２から平面方向に延びる延出部１２ｅ（図６参照）を覆っているが、説明のため、図５ではサイドシート１２を省略している。
【００２８】
図６は、図５のＶＩ−ＶＩ線（幅広部７Ｂ）に沿う断面図である。吸収性物品２０Ｂの表層となるトップシート２とバックシート４の間には吸収体６が介装されている。
トップシート２は吸収体６よりも狭幅であり、バックシート４は延長シートとして幅方向外側に延びている。又、トップシート２の幅方向両端部の上に重なるようにして幅方向外側に延びる防漏シート７０Ｂが配置されている。防漏シート７０Ｂとバックシートの幅方向端部が一致し、防漏シート７０Ｂとバックシート４とが上下方向に重なって幅広部７Ａを構成している。又、図示はしないが、防漏シート７０Ｂ（幅広部７Ｂ）とバックシート４の幅方向の端部がホットメルト等により接合（シール）されている。
さらに、防漏シート７０Ｂ（幅広部７Ｂ）の上面、及び防漏シート７０Ｂとトップシート２の重なり部分をサイドシート１２の延出部１２ｅが覆い、上記重なり部分近傍から上に向かってサイドシート１２が立ち上がっている。
【００２９】
図７は、図５のＶＩＩ−ＶＩＩ線（長手方向中央部）に沿う断面図である。図７においても、図６と同様に、トップシート２は吸収体６よりも狭幅であり、防漏シート７０Ｂとバックシートの幅方向端部が一致し、防漏シート７０Ｂとバックシート４とが上下方向に重なり、その幅方向の端部が接合（シール）されている。
【００３０】
第２の実施形態においても、吸収性物品２０Ｂが両面吸収パッドタイプであるにも関わらず、幅広部７０ＢＢが液の浸出を防止する防漏性を有する。このため、吸収性物品２０Ｂが吸収した尿等が幅広部７０ＢＢに伝わってアウター１００から浸みだして横漏れが生じることを防止できる。又、幅広部７０ＢＢを設けているので、吸収量を増大させるために吸収性物品２０を大型化しても、着用者の股の前後に沿うように配置したときの装着性、着用感を向上させることができる。
さらに、第２の実施形態においては、バックシート４が幅広部７０ＢＢの下面（裏面側）を兼用しているので、部品点数を低減して生産性及び製品コストを低減することができる。
なお、第２の実施形態において、上下面を逆にする、つまりバックシート４を吸収体６よりも狭幅とし、トップシート２を延長シートとして幅方向外側に延設させてもよい。この場合、バックシート４の幅方向両端部の上に重なるようにして幅方向外側に防漏シート７０Ｂが配置されることになる。
【００３１】
次に、図８、図９を参照し、本発明の第３の実施形態に係る吸収性物品について説明する。なお、第３の実施形態に係る吸収性物品２０Ｃにおいて、第１の実施形態に係る吸収性物品２０と同一構成部分を同一符号を付して説明を省略する。また、第３の実施形態に係る吸収性物品２０Ｃは、積層構造が異なること以外は、吸収性物品２０と同一の平面構造（つまり、２つの幅広部）を有している。
そして、図８は、図２のＩＩＩ−ＩＩＩ線に相当する幅広部７Ｃの断面図であり、図９は、図２のＩＶ−ＩＶ線に相当する断面図である。
【００３２】
図８において、吸収性物品２０Ｃの表層となるトップシート２とバックシート４の間には吸収体６が介装されている。
トップシート２及びバックシート４は、共に延長シートとして吸収体６よりも幅方向外側に延びて幅広部７Ｃを構成する。又、幅方向に吸収体６の端部と重なりつつ、さらに吸収体６よりも外側に至る領域に、トップシート２及びバックシート４とそれぞれ重なるようにして幅方向外側に延びる防漏シート７０Ｃが配置されている。
【００３３】
具体的には、吸収体６の上側に吸収体６よりも狭幅のトランスファーシート８が配置され、トランスファーシート８の幅方向両端部の上に重なるようにして幅方向外側に延びる防漏シート７０Ｃが配置されている。そして、各防漏シート７０Ｃを覆うように防漏シート７０Ｃの上側に、トップシート２が配置されている。
又、吸収体６の下側に吸収体６の幅方向両端部の下に重なるようにして、かつ吸収体６の両端部を除く下面が表出するようにして、幅方向外側に延びる防漏シート７０Ｃが配置されている。そして、各防漏シート７０Ｃを覆うように防漏シート７０Ｃの下側にバックシート４が配置されている。
このようにして、上下の防漏シート７０Ｃ、及びそれらの上下に配置されるトップシート２とバックシート４とが上下方向に重なって幅広部７Ｃを構成している。又、図示はしないが、防漏シート７０Ｃ（幅広部７Ｃ）とトップシート２及びバックシート４の幅方向の端部がホットメルト等により接合（シール）されている。
【００３４】
図９は、吸収性物品２０Ｃの長手方向中央部（幅広部７Ｃを除く部分）に沿う断面図である。図９においても、図８と同様に、トップシート２及びバックシート４は、共に延長シートとして吸収体６よりも幅方向外側に延びている。又、吸収体６よりも幅方向の内側で、トップシート２及びバックシート４とそれぞれ重なるようにして幅方向外側に延びる防漏シート７０Ｃが配置され、その幅方向の端部が接合（シール）されている。
【００３５】
第３の実施形態においては、防漏シート７０Ｃに防漏性に優れるが肌触りの劣るシート（例えばポリエチレンシート）を使用した場合、肌触りの良いトップシートやバックシートで防漏シート７０Ｃを覆うことにより触感をよくすることができる。
【００３６】
本発明は上記した実施形態に限定されず、本発明の思想と範囲に含まれる様々な変形及び均等物に及ぶことはいうまでもない。
例えば、吸収性物品の形状は上記に限られないし、幅広部の形状及び個数も上記に限られない。
又、吸収性物品の積層構造も上記に限られない。
又、幅広部の幅は２５０〜４００ｍｍであることが好ましい。
【実施例】
【００３７】
＜吸収性物品の製造＞
実施例１として、図５〜図７に示す第２の実施形態に係る吸収性物品２０Ｂを製造した。吸収体６は、木材パルプフラッフと、公知の高吸水性樹脂（ＳＡＰ）の粒子とを表１に示す割合で混合して形成した。
比較例１，２として、吸収性物品２０Ｂと同一の平面形状としつつ、防漏シート７０Ｂの代わりにそれぞれ撥水シート及び親水性シートを配置したこと以外は、吸収性物品２０Ｂと同様にして吸収性物品を製造した。なお、表の比較例１の「ＳＭＭＳ不織布」とは、スパンボンド不織布/メルトブローン不織布/メルトブローン不織布/スパンボンド不織布の４層構造の複合不織布を表す。
【００３８】
表１の各構成部材の坪量を、ＪＩＳ Ｐ８１２４に基づいて測定した。
＜吸収性能＞
あらかじめ重量を測定した上記吸収性物品を、生理食塩水に完全に５分間浸漬させた。浸漬後、吸収性物品のトップシートを下にして金網の上に載置して３０秒水切りしたときの重量を測定して吸収後の重量とした。吸収前後の重量差を総吸収量とした。
＜幅広部の表面からの浸み出し量＞
得られた吸収性物品を、これより大きい防水シート上に載置した。次に、図５に示すように、吸収性物品の幅広部７Ｂの長手方向上端で、かつ幅方向中央の位置Ｐ１で、トップシート２の表面に規定量（表１の注水量）の0.9wt％生理食塩水を注入した。そして、その５分後、両方の幅広部７Ｂの中央の位置Ｐ２の上にろ紙を載置し、さらにろ紙上におもりを３０秒間載置し、ろ紙が吸収した水分量(g)を測定した。おもりの質量をそれぞれ変え、表１に示す各荷重が位置Ｐ２に加わるようにした。測定は、左右の幅広部７Ｂについてそれぞれ行い、両方の平均値を採用した。
なお、荷重35g/cm2は、平均的な成人が寝た状態で掛かる荷重を想定している。荷重70g/cm2は、平均的な成人が座った状態で掛かる荷重を想定している。荷重105g/cm2は、平均的な成人が横向きに寝て腰骨が当たった場合等、局部的に力が集中した状態を想定している。
得られた結果を表１に示す。
【００３９】
【表１】
2015217067.tif 000003
【００４０】
表１から明らかなように、幅広部が防漏性を有する実施例１の場合、幅広部に荷重が掛かっても表面からの浸み出しが無く、吸収性能も優れたものとなった。
一方、幅広部が防漏性を有しない比較例１、２の場合、幅広部に荷重が掛かると表面から液が浸み出した。このことより、幅広部が撥水性を有するだけでは不十分であり、防漏性を有することが必要である。なお、「撥水性」は液体をはじくが、荷重を加えると液体が滲み出すことをいう。「防漏（防水）性」を有するとは、表１に示すように、３５〜１０５ｇｆ／ｃｍ２の範囲の荷重を加えても液体が滲み出さないことをいう。又、「液体が滲み出さない」とは、上述の「幅広部の表面からの浸み出し量」で評価したとおり、対象とするシートの表面に生理食塩水を注入し、更にその上にろ紙を載置し、ろ紙の上から上記荷重を加えたときに、ろ紙が吸収した水分量が０ｇであることをいう。
【符号の説明】
【００４１】
２  トップシート
４  バックシート
６  吸収体
２０、２０Ｂ、２０Ｃ  吸収性物品
７０Ａ１、７０Ａ２、７０Ｂ、７０Ｃ  幅広部
【図２】
2015217067.tif 000004
【図３】
2015217067.tif 000005
【図４】
2015217067.tif 000006
【図５】
2015217067.tif 000007
【図６】
2015217067.tif 000008
【図７】
2015217067.tif 000009
【図８】
2015217067.tif 000010
【図９】
2015217067.tif 000011
【図１】
2015217067.tif 000012
【図１０】
2015217067.tif 000013